(57)【要約】【課題】プロジェクタ装置の内部空間を有効利用することで、装置全体の小型化を図る。【解決手段】プロジェクタモジュール３０の垂直部３０Ｃには、前方に傾斜する傾斜壁３０Ｄが形成され、その傾斜壁３０Ｄの内側にミラー３６が取り付けられている。垂直部３０Ｃを上方に進む光は、ミラー３６で反射されて投影される。そして、上記傾斜壁３０Ｄの外面に沿ってバリア駆動モータ２２ａを近接配置することで、モータ２２ａの上方および後方への突出量を抑えることができる。【選択図】図２
2008249954.tif 000002
【特許請求の範囲】
【請求項１】
画像データから投影用の光像を形成して外部に投影するプロジェクタモジュールと、
前記プロジェクタモジュールに近接して配置される他の構成部品とを備え、
前記プロジェクタモジュールの筐体は、第１の方向に延在する第１の壁部と、該第１の壁部に連なり前記第１の方向に対して傾斜する第２の壁部とを有し、該第２の壁部の内側に設けられた反射面で前記第１の方向に進む光を屈曲させるよう構成され、前記他の構成部品は、前記第２の壁部の外面に沿って近接配置されていることを特徴とするプロジェクタ装置。
【請求項２】
前記他の構成部品が前記第１の壁部から突出しないように該他の構成部品を配置したことを特徴とする請求項１に記載のプロジェクタ装置。
【請求項３】
前記他の構成部品はモータであることを特徴とする請求項１または２に記載のプロジェクタ装置。
【請求項４】
撮影光学系および撮像部を更に有し、前記撮像部にて撮像された画像データから前記投影用の光像を形成することを特徴とする請求項１〜３のいずれか１項に記載のプロジェクタ装置。
【発明の詳細な説明】
【技術分野】
【０００１】
本発明は、プロジェクタモジュールを備えたプロジェクタ装置に関する。
【背景技術】
【０００２】
プロジェクタモジュールを内蔵したデジタルカメラが知られている（例えば、特許文献１参照）。
【０００３】
【特許文献１】特開2002-369050号公報
【発明の開示】
【発明が解決しようとする課題】
【０００４】
プロジェクタ装置の小型化を図るには、プロジェクタモジュールや他の構成部品の配置を工夫する必要がある。
【課題を解決するための手段】
【０００５】
本発明に係るプロジェクタ装置は、画像データから投影用の光像を形成して外部に投影するプロジェクタモジュールと、プロジェクタモジュールに近接して配置される他の構成部品（例えば、モータ）とを備え、プロジェクタモジュールの筐体は、第１の方向に延在する第１の壁部と、第１の壁部に連なり第１の方向に対して傾斜する第２の壁部とを有し、第２の壁部の内側に設けられた反射面で第１の方向に進む光を屈曲させるよう構成され、他の構成部品は、第２の壁部の外面に沿って近接配置されていることを特徴とする。
他の構成部品が第１の壁部から突出しないように該他の構成部品を配置してもよい。
撮影光学系および撮像部を更に有し、撮像部にて撮像された画像データから前記投影用の光像を形成するようにしてもよい。
【発明の効果】
【０００６】
本発明によれば、プロジェクタ装置の内部空間の有効利用が図れ、装置全体の小型化に寄与する。
【発明を実施するための最良の形態】
【０００７】
図１〜図３により本発明をプロジェクタ内蔵デジタルカメラに適用した場合の一実施形態を説明する。
図１は本実施形態におけるデジタルカメラの内部構造を正面から見た図、図２はそのII−II線断面図である。カメラ本体１００は、正面から見たときにほぼ矩形形状を呈し、その上面には複数の操作ボタン１が設けられている。カメラ本体１００の内部には、左側に電池室１０が、右側にカメラユニット２０がそれぞれ配置され、それらの間にプロジェクタモジュール３０が配置される。電池室１０には、例えばカメラ底面から電源電池が装填される。
【０００８】
カメラユニット２０は、屈曲式の撮影光学系２１、レンズバリア２２、撮像部２３などから構成される。撮影光学系２１は、複数のレンズや屈曲光学系であるミラー、光学式像振れ補正機構などを内蔵する。被写体からの光束は、カメラ本体正面に露出する対物レンズ２１ａに入射した後、ミラーで下方に折り曲げられ、レンズ群を透過した後、撮像部２３に入射する。２１ｂは光学式像振れ補正機構を内蔵する像振れ補正部である。
【０００９】
レンズバリア２２は、バリア駆動モータ２２ａにより軸Ｘを中心に回動可能とされ、対物レンズ２１ａの前面を覆う保護位置と、レンズ２１ａから退避する退避位置とを取り得る。不図示の制御回路は、電源スイッチのオンに応答してレンズバリア２２を保護位置から退避位置に駆動し、電源オフに応答して保護位置に駆動する。
【００１０】
撮像部２３には、撮像素子や光学フィルタなどが設けられる。撮影光学系２１を通過した光束は、カメラ底部付近において撮像素子に受光されて光電変換され、その光電変換出力に種々の処理が加えられて画像データが生成される。画像データは、カードスロット４０に装填されたメモリカードに記録される。
【００１１】
次に、プロジェクタモジュール３０について説明する。
図３の拡大図に示すように、プロジェクタモジュール３０は、高輝度ＬＥＤ等の光源３１と、集光レンズ３２と、偏光ビームスプリッタ（以下、ＰＢＳ）３３と、ＬＣＯＳ等の反射型液晶パネル３４と、投影レンズ３５と、ミラー３６と、これらを収容するケース３７とを有する。なお、透過型の液晶パネルを用いたものでもよい。
【００１２】
光源３１および集光レンズ３２は、ＰＢＳ３３が配置される箇所（屈曲部３０Ａ）から横方向に突出する水平部３０Ｂに配置され、投影レンズ３５は、屈曲部３０Ａから鉛直方向に突出する垂直部３０Ｃに配置される。したがって、ケース３７はほぼＬ字状となる。本実施形態では、水平部３０Ｂが図１の左側に突出するようにプロジェクタモジュール３０を配置したので、熱源である光源３１を撮像部２３から極力遠ざけることができ、熱ノイズによる画像への影響を最小限に抑制できる。また、光源３１には放熱ブロック（金属ブロック）３８が密着しており、この放熱ブロック３８の一部を金属製のカメラ外カバーに密着させることで、光源３１の熱を効率よく外部に逃がすことができる。
【００１３】
上記のようなプロジェクタモジュール３０を用いて、メモリカードに記録された所望の画像データを外部に投影することができる。カメラの制御回路は、フレキシブルプリント基板３９を介して画像データを液晶パネル３４に送り、表示させる。この状態で光源３１を点灯すると、光源光は集光レンズ３２およびＰＢＳ３３を透過して反射型液晶パネル３４に入射し、その反射光像がＰＢＳ３３で垂直上方に屈曲され、投影レンズ３５に入射する。投影レンズ３５の透過光束は、ミラー３６で屈曲されてカメラ正面に投影される。
【００１４】
なお、投影方向（ミラー３６での反射光軸方向）は、水平方向でもよいよいが、水平方向からやや上方にオフセットした角度方向とすれば、カメラ載置面による投影光のケラレを抑制できる。
【００１５】
プロジェクタモジュール３０の上方には、閃光装置の発光部５１が設けられ、またプロジェクタモジュール３０の水平部３０Ｂと垂直部３０Ｃとの間に、閃光発光用の電荷を蓄えるコンデンサ５２が配置されている。このように発光部５１とコンデンサ５２とを近接配置することで、両者の配線の引き回し等の点で有利となる。なお、５３は三脚座、５４は外部機器を接続するための端子、５５は画像等を外部表示するための液晶モニタ、５６はカメラのメイン基板である。
【００１６】
次に、プロジェクタモジュール３０とバリア駆動モータ２２ａの位置関係について説明する。
図２から分かるように、プロジェクタモジュール３０の垂直部３０Ｃには、前方に傾斜する傾斜壁３０Ｄが形成され、その傾斜壁３０Ｄの内側に上記ミラー３６が取り付けられている。そして本実施形態では、バリア駆動モータ２２ａを傾斜壁３０Ｄの外面に沿って近接配置することで、モータ２２ａの上方および後方への突出量を最小限に抑えている。
【００１７】
すなわち、図１から分かるように、プロジェクタモジュール３０の上方には、バリア駆動モータ２２ａ、発光部５２の順で配置されるが、モータ２２ａを傾斜壁３０Ｄの外面に沿って配置することで、モータ２２ａのプロジェクタモジュール３０から上方への突出量を最小限に抑えることができる。したがって、発光部５２とプロジェクタモジュール３０との間隔を最小限に縮めることができ、カメラの高さ寸法を抑えることができる。一方、図２から分かるように、モータ２２ａのプロジェクタモジュール３０から後方への突出量はゼロであり、これによりメイン基板５６とプロジェクタモジュール３０との間隔を最小限に縮めることができる。したがって、カメラの厚さ寸法を抑えることができる。
【００１８】
以上では、プロジェクタモジュール３０の傾斜部３０Ｄに近接させてバリア駆動モータ２２ａを配置したが、バリア駆動モータ２２ａに代えてズームモータやフォーカスモータを配置してもよいし、上記コンデンサ５２を配置してもよい。図４はカメラ本体１００の側面から投影を行う例であり、プロジェクタモジュール３０’の傾斜壁３０Ｄの外面に近接させて閃光装置の発光部５１を配置している。
【００１９】
また、以上はデジタルカメラにプロジェクタモジュールを設けた例を示したが、カメラ付き携帯電話機やその他の電子機器にプロジェクタモジュールを設けたもの、さらには撮影機能を持たないプロジェクタ内蔵機器にも本発明を適用できる。
【図面の簡単な説明】
【００２０】
【図１】一実施形態におけるプロジェクタ内蔵デジタルカメラの内部構造を正面から見た図。
【図２】図１のII−II線断面図。
【図３】図１の一部を拡大して示す図。
【図４】他の実施形態におけるプロジェクタ内蔵デジタルカメラの概略構成を示す図。
【符号の説明】
【００２１】
２０  カメラユニット
２２  レンズバリア
２２ａ  バリア駆動モータ
３０  プロジェクタモジュール
３０Ｄ  傾斜壁
３１  光源
３３  偏光ビームスプリッタ
３４  反射型液晶パネル
３５  投影レンズ
３６  ミラー
４０  カードスロット
５１  発光部
５２  コンデンサ
１００  カメラ本体
【図１】
2008249954.tif 000003
【図２】
2008249954.tif 000004
【図３】
2008249954.tif 000005
【図４】
2008249954.tif 000006